(57)【要約】【課題】抜き差しが頻繁に行われる外部コネクターを、簡単な構造で強固に取り付けることができる。【解決手段】メイン基板１３と、メイン基板１３に平行に配設されたコネクター基板５２との間に介設された一対のスペーサー９１、９１と、各スペーサー９１、９１をメイン基板１３に固定する一対の第１取付けねじ９２と、コネクター基板５２を各スペーサー９１、９１に固定する一対の第２取付けねじ９３と、を備え、各スペーサー９１、９１は、金属板を断面略「コ」字状に折り曲げて形成されている。【選択図】図６
2012004002.tif 000002
【特許請求の範囲】
【請求項１】
コネクター本体と前記コネクター本体に固定されたコネクター基板とを有する外部コネクターを、その抜き差し方向と平行なメイン基板に取り付けるための外部コネクターの取付け装置であって、
前記メイン基板と、前記メイン基板に平行に配設された前記コネクター基板との間に介設された一対のスペーサーと、
前記各スペーサーを前記メイン基板に固定する一対の第１締結手段と、
前記コネクター基板を前記各スペーサーに固定する一対の第２締結手段と、を備え、
前記各スペーサーは、金属板を断面略「コ」字状に折り曲げて形成されていることを特徴とする外部コネクターの取付け装置。
【請求項２】
前記各スペーサーは、前記金属板をプレス成形して形成されていることを特徴とする請求項１に記載の外部コネクターの取付け装置。
【請求項３】
前記各スペーサーは、前記コネクター本体に係合し、前記コネクター本体を介して前記コネクター基板と相互に位置決めするための係合片部を有していることを特徴とする請求項１または２に記載の外部コネクターの取付け装置。
【請求項４】
前記各スペーサーは、前記メイン基板に着座する着座片部と、前記コネクター基板が載置される載置片部と、前記着座片部および前記載置片部を連結する連結片部とを有し、
前記各第１締結手段は、前記メイン基板を貫通し前記着座片部に螺合する第１取付けねじを有し、
前記各第２締結手段は、前記コネクター基板を貫通し前記載置片部に螺合する第２取付けねじを有していることを特徴とする請求項１ないし３のいずれかに記載の外部コネクターの取付け装置。
【請求項５】
請求項１ないし４のいずれかに記載の外部コネクターの取付け装置と、
前記メイン基板と、
前記外部コネクターと、
前記外部コネクターおよび前記メイン基板が固定されたコネクターフレームと、を備え、
前記外部コネクターは、前記コネクター本体の接続部を、前記コネクターフレームのパネル板部から突出させた状態で、前記コネクターフレームに固定されていることを特徴とする基板モジュール。
【請求項６】
前記コネクター本体は、前記接続部、および前記接続部を保持すると共に前記コネクターフレームに固定されるフレーム取付部を有し、
前記パネル板部は、前記外部コネクターの前記接続部が臨むコネクター用開口と、前記コネクター用開口の両側に位置し、前記フレーム取付部に螺合する一対の固定ねじ用の一対の貫通孔と、を有し、
前記コネクター開口は、前記スペーサーによる位置調節の方向に幅広に形成され、
前記各貫通孔は、前記位置調節の方向に延びる長孔に形成されていることを特徴とする請求項５に記載の基板モジュール。
【請求項７】
前記外部コネクターは、当該外部コネクターの抜き差し方向において前記メイン基板とオーバーラップするように配設され、
前記メイン基板の前記外部コネクターとのオーバーラップ部分には、前記外部コネクターを逃げる切欠き部が形成されていることを特徴とする請求項５または６に記載の基板モジュール。
【請求項８】
前記外部コネクターは、ＶＧＡコネクターであることを特徴とする請求項５ないし７のいずれかに記載の基板モジュール。
【発明の詳細な説明】
【技術分野】
【０００１】
本発明は、コネクターを、メイン基板に取り付けるための外部コネクターの取付装置および基板モジュールに関するものである。
【背景技術】
【０００２】
従来、基板モジュールとして、メイン基板と、メイン基板の上方に平行に配設したサブ基板と、メイン基板とサブ基板との間に介設した一対のスペーサーと、を備えたものが知られている（特許文献１参照）。メイン基板とサブ基板との間には、コネクター（およびプラグ）が介設され、メイン基板とサブ基板とが電気的に接続されている。一方、各スペーサーは、円筒形状（雌ねじ）を有すると共に、下端部をメイン基板に半田付けされ且つ上端部にサブ基板を貫通した固定ねじが螺合している。これにより、コネクターの抜けを防止している。
【先行技術文献】
【特許文献】
【０００３】
【特許文献１】特開２０００−３３２４６３号公報
【発明の概要】
【発明が解決しようとする課題】
【０００４】
ところで、外部コネクターを搭載した基板モジュールでは、コネクターの種類や配置仕様によって、コネクター同士の干渉やコネクターと周辺部品との干渉を防止すべく、コネクターの位置を適宜調節する必要がある。これに対し、調節寸法（高さ）の異なる複数種のスペーサーを用意しておき、コネクターの位置を調節することが考えられる。
しかしながら、上記従来のスペーサーは、単にコネクターの抜止めの機能を有するだけであり、これを、上記のような抜き差しを頻繁に行う外部コネクターに適用すると、スペーサーが簡単に壊れ或いはコネクターにガタつきが生じてしまうことが想定される。すなわち、従来のスペーサーは縦長であるため、コネクターの抜き差しに伴い、スペーサーにせん断力（横方向の力）が作用すると、傾き易く固定ねじが全てのせん断力を受ける構造となる。このため、取付け強度が不足し、コネクターがガタつく等の問題が発生する。
【０００５】
本発明は、抜き差しが頻繁に行われる外部コネクターを、簡単な構造で強固に取り付けることができる外部コネクターの取付装置および基板モジュールを提供することを課題としている。
【課題を解決するための手段】
【０００６】
本発明の外部コネクターの取付け装置は、コネクター本体とコネクター本体に固定されたコネクター基板とを有する外部コネクターを、その抜き差し方向と平行なメイン基板に取り付けるための外部コネクターの取付け装置であって、メイン基板と、メイン基板に平行に配設されたコネクター基板との間に介設された一対のスペーサーと、各スペーサーをメイン基板に固定する一対の第１締結手段と、コネクター基板を各スペーサーに固定する一対の第２締結手段と、を備え、各スペーサーは、金属板を断面略「コ」字状に折り曲げて形成されていることを特徴とする。
【０００７】
この場合、各スペーサーは、金属板をプレス成形して形成されていることが好ましい。
【０００８】
これらの構成によれば、各スペーサーが、金属板を断面略「コ」字状に折り曲げて形成されているため、外部コネクターの抜き差しに伴う横方向の力に対し、傾き（転び）難く、外部コネクターを安定且つ強固に支持することができる。また、コネクター基板とスペーサーとの接触面積を大きく取ることができるため、第１締結手段および第２締結手段による締結に伴って、生ずる摩擦力がこれら締結手段と共に、横方向の力に抗することになり、この点でも、外部コネクターを安定且つ強固に取り付けることができる。しかも、スペーサーは、金属板を断面略「コ」字状に折り曲げたものであり、プレス成形等により簡単に形成することができる。このため、調整寸法（高さ）の異なる複数のスペーサーを用意しておけば、外部コネクターの取付け位置の微調整も簡単に行うことができる。一方、締結手段としてねじを用いる場合には、スペーサーの内側からねじに対し、後付けで弛み止めの接着剤等を注入することができる。
【０００９】
この場合、各スペーサーは、コネクター本体に係合し、コネクター本体を介してコネクター基板と相互に位置決めするための係合片部を有していることが好ましい。
【００１０】
この構成によれば、各スペーサーとコネクター基板との相互の位置決めを容易に行うことができ、組立における作業性を向上させることができる。
【００１１】
この場合、各スペーサーは、メイン基板に着座する着座片部と、コネクター基板が載置される載置片部と、着座片部および載置片部を連結する連結片部とを有し、各第１締結手段は、メイン基板を貫通し着座片部に螺合する第１取付けねじを有し、各第２締結手段は、コネクター基板を貫通し載置片部に螺合する第２取付けねじを有していることが好ましい。
【００１２】
この構成によれば、各スペーサーや各締結手段を簡単な構成にすることができ、且つ両基板とスペーサーとを強固に締結することができる。
【００１３】
本発明の基板モジュールは、上記の外部コネクターの取付け装置と、メイン基板と、外部コネクターと、外部コネクターおよびメイン基板が固定されたコネクターフレームと、を備え、外部コネクターは、コネクター本体の接続部を、コネクターフレームのパネル板部から突出させた状態で、コネクターフレームに固定されていることを特徴とする。
【００１４】
この構成によれば、外部コネクターを、簡単な構造で強固に取り付ける外部コネクターの取付け装置を用いることで、簡単な構成で強固な基板モジュールを提供することができる。
【００１５】
この場合、コネクター本体は、接続部、および接続部を保持すると共にコネクターフレームに固定されるフレーム取付部を有し、パネル板部は、外部コネクターの接続部が臨むコネクター用開口と、コネクター用開口の両側に位置し、フレーム取付部に螺合する一対の固定ねじ用の一対の貫通孔と、を有し、コネクター開口は、スペーサーによる位置調節の方向に幅広に形成され、各貫通孔は、位置調節の方向に延びる長孔に形成されていることが好ましい。
【００１６】
この構成によれば、コネクター用開口および各貫通孔を、スペーサーによる位置調節の方向に長く形成することにより、コネクターフレームにおいて、外部コネクターの位置調節を許容することができ、コネクターフレームに対し後加工等を必要としない。
【００１７】
この場合、外部コネクターは、当該外部コネクターの抜き差し方向においてメイン基板とオーバーラップするように配設され、メイン基板の外部コネクターとのオーバーラップ部分には、外部コネクターを逃げる切欠き部が形成されていることが好ましい。
【００１８】
この構成によれば、メイン基板に外部コネクターを逃げる切欠き部を形成することにより、メイン基板において、外部コネクターの配設および位置調節を許容することができる。
【００１９】
この場合、外部コネクターは、ＶＧＡコネクターであることが好ましい。
【００２０】
この構成によれば、数ミリ単位の正確な位置調節が容易にできる基板モジュールを用いることで、種類も多く、形状も多岐にわたるＶＧＡコネクター（Ｖｉｄｅｏ  Ｇｒａｐｈｉｃｓ  Ａｒｒａｙ  ｃｏｎｎｅｃｔｏｒ）に対しても、適用することができる。
【図面の簡単な説明】
【００２１】
【図１】本実施形態に係るプリンターを示した斜視図である。
【図２】拡張基板モジュールを示した斜視図である。
【図３】コネクターフレーム無しの拡張基板モジュールを示した斜視図である。
【図４】メイン基板周りを示した斜視図である。
【図５】メイン基板に合体したサブ基板周りを示した裏面斜視図である。
【図６】基板支持機構周りを示した裏面斜視図である。
【図７】スペーサーを示した斜視図である。
【発明を実施するための形態】
【００２２】
以下、添付図面を参照し、本発明の一実施形態に係る基板モジュールとこれを装着したプリンターについて説明する。このプリンターは、いわゆるレシートプリンターであり、外部機器からの情報に基づいて、レシート用の画像データをレシート用紙に印刷して、レシートを作成するものである。なお、外部機器として、ＰＯＳ端末、キーボード、スキャナーおよびディスプレイ等を想定している。
【００２３】
図１に示すように、プリンター１は、プリンター本体２と、プリンター本体２に装着する拡張基板モジュール（基板モジュール）４と、を備えている。本実施形態では、マイクロコンピューター（図示省略）を搭載した拡張基板モジュール４を装着することで、プリンター本体２に情報処理機能を付加する。例えば、当該マイクロコンピューターに、簡易ＰＯＳアプリケーションプログラムを搭載し、プリンター１を予備のＰＯＳ端末として機能させることを想定している。
【００２４】
次に、拡張基板モジュール４について詳細に説明する。なお、以降の説明では、プリンター１に装着した拡張基板モジュール４を上下反転して表した図面を用いると共に、図２および図３における手前側を「前」、奥側を「後」、上側を「上」、下側を「下」として、説明を進める。また、上記した前後に対する右側（図中左側）を「右」、前後に対する左側（図中右側）を「左」とする。
【００２５】
図２および図３に示すように、拡張基板モジュール４は、後面を開放した箱状のコネクターフレーム１１と、コネクターフレーム１１を装着するコネクターモジュール３と、を備えている。コネクターモジュール３は、コネクターフレーム１１の前面に露出させたＶＧＡコネクター４５を含む複数の外部コネクターからなるコネクター群１２と、コネクターフレーム１１の内部から後方に延在するように設けたメイン基板１３と、コネクターフレーム１１内において、メイン基板１３に直角に立設したサブ基板１４と、コネクターフレーム１１の天面に添わせて設けられ、サブ基板１４の上端部（固定端部）を保持する基板ホルダープレート１５と、ＶＧＡコネクター４５を所定の高さで支持する基板支持機構（取付け装置）１９（図６参照）と、メイン基板１３上の後端部に配設され、上記のプリンター本体２に接続するための内部コネクター１７と、を備えている。そして、メイン基板１３には、ワンチップのマイクロコンピューター（図示省略）およびその周辺回路が作りこまれている。各外部コネクターとマイクロコンピューター、マイクロコンピューターと内部コネクター１７とは、配線ケーブル２０（図６参照）により接続されている。なお、マイクロコンピューターは、ＣＰＵ、ＲＡＭ、ＲＯＭおよびデータ記憶部（フラッシュＲＯＭ等）を有する集積回路である。
【００２６】
図２に示すように、コネクターフレーム１１は、導電性材料の金属板で構成されており、前面を構成するパネル板部２１と、パネル板部２１の上下端からそれぞれ直角に延びる一対の上下補強板部２２、２２と、パネル板部２１の左右端からそれぞれ直角に延びる一対の左右補強板部２３、２３と、左側の左右補強板部２３の端部を折り返すように折り曲げて成ると共に、拡張基板モジュール４をプリンター本体２にねじ止めするための取付板部２４と、を備えている。すなわち、コネクターフレーム１１は、パネル板部２１、上下補強板部２２、２２および各左右補強板部２３、２３により、平面視断面および側面視断面において「コ」字状の形状を成している。
【００２７】
また、コネクターフレーム１１における箱の角を成す上下補強板部２２の端部と左右補強板部２３の端部との間は、非接合で接触している。そのため、コネクターモジュール３をコネクターフレーム１１に装着する際、左右補強板部２３、２３の先端側が拡開方向に湾曲し、装着を阻害しないように、かつ他の部品を開いた状態で嵌め入れるように構成されている。
【００２８】
パネル板部２１は、ＶＧＡコネクター４５のプラグ側の接続部５４に臨んでこれを外部に露出するコネクター用開口３１と、コネクター用開口３１の両側に位置し、ＶＧＡコネクター４５のフレーム取付部５５に螺合する一対のコネクターフレーム固定ねじ３３、３３（固定ねじ）用の一対の貫通孔３２、３２と、拡張基板モジュール４をプリンター本体２にねじ止めするための取付孔３４と、を備えている。すなわち、コネクターフレーム１１は、一対のコネクターフレーム固定ねじ３３、３３によって、コネクターモジュール３にねじ固定され拡張基板モジュール４となり、また、拡張基板モジュール４は、一対の拡張基板モジュール固定ねじ３５、３５によって、上記の取付板部２４および取付孔３４を介して、プリンター本体２にねじ止め固定される。これにより、上記の内部コネクター１７を接続した状態で、拡張基板モジュール４がプリンター本体２に固定される。この構成によれば、拡張基板モジュール４が故障した場合に、拡張基板モジュール固定ねじ３５、３５を外して、拡張基板モジュール４を交換すれば良く、修理時間を短縮することができる。なお、コネクター用開口３１は、高さ方向に幅広に形成され、各貫通孔３３は、高さ方向に延びる長孔に形成されている。すなわち、基板支持機構１９によるＶＧＡコネクター４５の高さ調節を許容するように形成されている。
【００２９】
図２および図３に示すように、コネクター群１２は、抜き差し方向がメイン基板１３と平行になるように配設されており、メイン基板１３の前端部に搭載された左下部に位置するＬＡＮ（Ｌｏｃａｌ  Ａｒｅａ  Ｎｅｔｗｏｒｋ）コネクター４１および右下部に位置するマイクロＵＳＢ（Ｕｎｉｖｅｒｓａｌ  Ｓｅｒｉａｌ  Ｂｕｓ）コネクター４２と、サブ基板１４の前面にマウントされた右上部に位置するＤＣ（Ｄｉｒｅｃｔ  Ｃｕｒｒｅｎｔ）コネクター４３および上部に並んだ４つのＵＳＢコネクター４４と、基板支持機構１９に保持された上記ＶＧＡコネクター（外部コネクター）４５と、を含んでいる。これらのコネクターは、それぞれのプラグコネクターの接続を考慮しつつ、パネル板部２１内においてスペース効率良く配置されている。また、これらのコネクターは、配線ケーブル２０によりサブ基板１４に電気的に接続しており、ひいてはサブ基板１４を介して、メイン基板１３に電気的に接続されている。なお、サブ基板１４とメイン基板１３との接続は、配線ケーブル２０やジャンパーリード線によって行うものであっても良いし、サブ基板１４の下端部において両基板１３、１４上の配線を直接接続するものであっても良い。
【００３０】
ＶＧＡコネクター４５は、接続部５４を有するコネクター本体５１と、下面にコネクター本体５１をねじ止めしたコネクター基板５２と、を備えている（図３参照）。コネクター基板５２は、上下補強板部２２やメイン基板１３と平行して延在している。コネクター本体５１は、上記接続部５４と、接続部５４を保持すると共にコネクターフレーム１１に内側から当接するフレーム取付部５５と、を備えている。すなわち、上記一対の貫通孔３２、３２を介して、一対のコネクターフレーム固定ねじ３３、３３がフレーム取付部５５に螺合する（図３参照）。これによって、ＶＧＡコネクター４５は、接続部５４を、パネル板部２１から突出させた状態で、コネクターフレーム１１にねじ止め固定される（図２参照）。なお、当該コネクターフレーム固定ねじ３３は、頭部軸心に雌ねじ孔が形成されており、プラグコネクターの雄ねじ部と供して、プラグコネクターを接続する際の抜け止めとしても機能する。
【００３１】
図４に示すように、メイン基板１３には、前方左端部にＬＡＮコネクター４１を、同図示では省略したが前方右端部にマイクロＵＳＢコネクター４２を搭載すると共に、後方中央部に内部コネクター１７を搭載している。また、図５に示すように、メイン基板１３の前方寄りの前後中間部には、サブ基板１４に形成された後述の左右一対の係止突起６６、６６を係合する方形の左右一対の係止孔６１、６１が形成されている。すなわち、サブ基板１４の下端部（突当て端部）を突き当てつつ、一対の係止突起６６、６６を係合することで、サブ基板１４の下端部を係止した状態でこれをメイン基板１３上に立設している。さらに、メイン基板１３には、ＶＧＡコネクター４５の抜差し方向において、ＶＧＡコネクター４５がオーバーラップするように、配設されている（図６参照）。このため、メイン基板１３の当該オーバーラップ部分には、ＶＧＡコネクター４５を逃げる切欠き部６２が配設（形成）されている。
【００３２】
図３および図５に示すように、サブ基板１４は、メイン基板１３から直角に且つ上方に延在し、ＬＡＮコネクター４１とオーバーラップする部分を除き、メイン基板１３の左右全域を横断するように立設（垂直設置）されている。サブ基板１４の前面には、ＤＣコネクター４３と、４つのＵＳＢコネクター４４とがマウントされている。また、サブ基板１４のメイン基板１３側の端部（下端部）には、上記左右一対の係止突起６６、６６が形成されている。さらに、サブ基板１４の上端部には、図示では省略したが、接地配線（プリント配設）が形成されており、上記の基板ホルダープレート１５を介して接地可能に構成されている。なお、サブ基板１４の上端部（固定端部）と下端部（突当て端部）とは平行に延在している。
【００３３】
図３に示すように、基板ホルダープレート１５は、導電性の金属板（板金）をプレス成形して形成され、且つメイン基板１３に対し平行に延在しており、内側からコネクターフレーム１１に添設するようにして固定されている。基板ホルダープレート１５は、サブ基板１４の上端部に臨みこれを挟持固定する固定板部７１と、固定板部７１の左端から直角に下方に屈曲して延びるねじ止め板部７３と、で一体に形成されている。固定板部７１の右端部には、右端から側方に突出する係合突起７２ａと、右端部から後方に突出する当接突起７２ｂと、右端部から前方に突出するスペーサー突起７２ｃと、が一体に形成されている。係合突起７２ａは、コネクターフレーム１１の係合孔（図示省略）に係合し、基板ホルダープレート１５とコネクターフレーム１１とを左右方向において相互に位置決めする。当接突起７２ｂは、上記右側の拡張基板モジュール固定ねじ３５をプリンター本体２にねじ止めするときに、プリンター本体２に当接する。スペーサー突起７２ｃは、コネクターフレーム１１の内側（パネル板部２１の上端部内側）に当接し、基板ホルダープレート１５とコネクターフレーム１１とを前後方向において相互に位置決めする。
【００３４】
また、固定板部７１には、その後端部から直角に且つメイン基板１３側に折曲げ形成した補強リブ７４が、一体に形成されている。この補強リブ７４により、固定板部７１は、上下方向の曲げに対し十分な応力を発揮する。そして、このように構成された基板ホルダープレート１５は、コネクターフレーム１１の内側に添設された状態で、右端部の係合突起７２ａをコネクターフレーム１１の係合孔に係合する一方、係止ねじ７５により、左端部のねじ止め板部７３をコネクターフレーム１１にねじ止めすることで、コネクターフレーム１１に両持ちで支持される。なお、係止ねじ７５は、外側からコネクターフレーム１１を貫通し、ねじ止め板部７３に螺合する（図２参照）。すなわち、コネクターフレーム１１に基板ホルダープレート１５が固定され、基板ホルダープレート１５にサブ基板１４の上端部が挟持固定されて、各種コネクターの抜き差しに対するサブ基板１４のがたつきや倒れが防止される。
【００３５】
固定板部７１は、サブ基板１４の上端部が臨むスリット状の開口部８１と、開口部８１の開口縁から、前後方向に延在して開口部８１内に突出し、当該上端部を挟持する複数の挟持突起８２と、各挟持突起８２の背面側（基端側）近傍に位置し、開口部８１に平行な複数のスリット８３と、開口部８１の開口縁から、前後方向に延在して開口部８１内に突出し、当該上端部の受けとなる複数の受け突起８４と、を備えている。そして、これら開口部８１および複数のスリット８３も、プレス打ち抜きで形成される。なお、サブ基板１４の上端部の延在方向と開口部８１の延在方向とは、同一である。
【００３６】
複数の挟持突起８２は、前後方向に位置ずれして対向する一対の挟持突起８２、８２の組を、開口部８１の延在方向に分散して（列設して）２組構成している。一対の挟持突起８２、８２は、それぞれ背面側のスリット８３により幅狭に且つばね性を持ってサブ基板１４の上端部の表裏面に押接し、当該上端部を挟持する。また、組となる一対の挟持突起８２は、互い違いとなるように、開口部８１の延在方向（上端部の延在方向）において相互に位置ずれして配設されている。開口部８１にサブ基板１４の上端部を圧入すると、各組の一対の挟持突起８２がサブ基板１４の上端部を挟持する。これにより、各組の一対の挟持突起８２のばね力と、サブ基板１４の部分曲げ応力が拮抗し、サブ基板１４は固定板部７１に無理無く、且つ強固に固定される。また、固定板部７１を介して、サブ基板１４のコネクターフレーム１１への導通が確保される。
【００３７】
また、一対の挟持突起８２、８２の背面側近傍に配設した一対の上記スリット８３、８３によって、サブ基板１４から各挟持突起８２に作用する反力を緩和し、靭性が不足する各挟持突起８２のばね性を確保している。なお、各挟持突起８２のばね性を確保すべく、スリット８３に代えて押圧ばねを設ける構成であっても良い。もっとも、固定板部７１に対するサブ基板１４の圧入は、組立て時のみであるので、挟持突起８２が弾性限界を越えて圧入されても問題はない。
【００３８】
複数の受け突起８４は、前後方向に位置ずれして対向する一対の受け突起８４、８４の組を、開口部８１の延在方向に分散して（列設して）２組構成している。一対の受け突起８４、８４は、微小間隙を存してサブ基板１４の上端部に対峙しており、プラグコネクターの抜き差しの力がサブ基板１４に作用した際、これを受け、サブ基板１４の所定値以上湾曲や破損を阻止する。すなわち、当該湾曲や破損を阻止する程度の微小間隙を有している。また、一対の受け突起８４、８４は、開口部８１の延在方向において相互に位置ずれして配設されている。なお、挟持突起８２に対し受け突起８４は、開口部８１の延在方向に幅広に形成されている。
【００３９】
一方、基板ホルダープレート１５は、挟持突起８２によって、サブ基板１４の上端部に形成された接地配線に接触し、且つ係合突起７２ａやねじ止め板部７３によって、導電性のコネクターフレーム１１に接触している。そして、サブ基板１４は、コネクターフレーム１１からプリンター本体２、或いはいずれかのコネクターを介して、アースされる。このため、基板ホルダープレート１５は、サブ基板１４の導電・接地手段としても機能する。
【００４０】
図６および図７に示すように、基板支持機構１９は、メイン基板１３とコネクター基板５２との間に介設された左右一対のスペーサー９１、９１と、各スペーサー９１をメイン基板１３にねじ止め固定する一対の第１取付けねじ（第１締結手段）９２と、コネクター基板５２を各スペーサー９１、９１にねじ止め固定する一対の第２取付けねじ（第２締結手段）９３と、を備えている。
【００４１】
各スペーサー９１、９１は、金属板（板金）をプレス成形して形成されおり、またコネクター基板５２の平面視輪郭内に配設されると共に、当該金属板を断面略「コ」字状に折り曲げて形成されている。一対のスペーサー９１、９１は、コネクター群１２の抜き差し方向に対する垂直方向を向き且つ相互に対向して配設されている。各スペーサー９１、９１は、メイン基板１３と平行に延在しメイン基板１３に着座する平板状の着座片部９６と、コネクター基板５２と平行に延在しコネクター基板５２が載置される平板状の載置片部９７と、着座片部９６および載置片部９７を連結する弧状の連結片部９８と、連結片部９８から垂直に且つコネクター本体５１側に突出しコネクター本体５１に係合する位置決め用の係合片部９９と、を有している。係合片部９９により、コネクター本体５１を介してコネクター基板５２と各スペーサー９１、９１とを相互に位置決めする。
【００４２】
着座片部９６および載置片部９７は、それぞれ取付けねじ９２、９３に螺合する締結孔１００を有している。すなわち、第１取付けねじ９２は、メイン基板１３を貫通し着座片部９６の締結孔１００に螺合し、第２取付けねじ９３は、コネクター基板５２を貫通し載置片部９７の締結孔１００に螺合する。これによってメイン基板１３とスペーサー９１、スペーサー９１とコネクター基板５２が、強固に固定される。
【００４３】
拡張基板モジュール４を組み立てる際、一対のスペーサー９１、９１の組を高さ違いで複数組用意すると共に、ＶＧＡコネクター４５の種類や配設状況によって、ＶＧＡコネクター４５が所望の高さ位置となるようなスペーサー９１、９１の組を選出して設置する。これによって、ＶＧＡコネクター４５のメイン基板１３に高さ位置（メイン基板１３に対する垂直方向の位置）を調節する。なお、ＶＧＡコネクター４５に替えて、シリアルコネクター等の他のコネクターを取り付ける場合にも、高さ調節によって、容易に対応することができる。
【００４４】
以上の実施形態によれば、各スペーサー９１、９１が、金属板を断面略「コ」字状に折り曲げて形成されているため、外部コネクター（ＶＧＡコネクター４５）の抜き差しに伴う横方向の力に対し、傾き（転び）難く、外部コネクターを安定且つ強固に支持することができる。また、コネクター基板５２とスペーサー９１との接触面積を大きく取ることができるため、第１取付けねじ９２および第２取付けねじ９３による締結に伴って、生ずる摩擦力がこれら締結手段と共に、横方向の力に抗することになり、この点でも、外部コネクターを安定且つ強固に取り付けることができる。しかも、スペーサー９１は、金属板を断面略「コ」字状に折り曲げたものであり、プレス成形等により簡単に形成することができる。このため、調整寸法（高さ）の異なる複数のスペーサー９１を用意しておけば、外部コネクターの取付け位置の微調整も簡単に行うことができる。また、スペーサー９１の内側からねじに対し、後付けで弛み止めの接着剤等を注入することができる。
【００４５】
また、位置決め用の係合片部９９を有することにより、各スペーサー９１、９１とコネクター基板５２との相互の位置決めを容易に行うことができ、組立における作業性を向上させることができる。
【００４６】
さらに、各スペーサー９１、９１が着座片部９６および載置片部９７を有し、且つ各締結手段として取付けねじ９２、９３を用いることにより、各スペーサー９１や各締結手段を簡単な構成にすることができ、且つ両基板１３、５２とスペーサー９１とを強固に締結することができる。
【００４７】
またさらに、コネクターフレーム１１において、コネクター用開口３１および各貫通孔３３を、スペーサー９１による位置調節の方向に長く形成することにより、コネクターフレーム１１において、外部コネクターの位置調節を許容することができ、コネクターフレーム１１に対し後加工等を必要としない。
【００４８】
また、メイン基板１３に外部コネクターを逃げる切欠き部６２を形成することにより、メイン基板１３において、外部コネクターの配設および位置調節を許容することができる。
【００４９】
なお、本実施形態においては、基板支持機構１９により、ＶＧＡコネクター４５を位置調節する構成であったが、基板支持機構１９により、他のコネクター（ＬＡＮコネクター４１、マイクロＵＳＢコネクター４２、ＤＣコネクター４３、ＵＳＢコネクター４４もしくはシリアルコネクター等）を位置調節するものであっても良い。また、コネクター基板５２に複数種のコネクターのコネクター本体５１を搭載し、基板支持機構１９により、これらを一体として位置調節するものであっても良い。
【００５０】
また、本実施形態においては、コネクター基板５２の左右両端部に配設した一対のスペーサー９１、９１によって、ＶＧＡコネクター４５を支持する構成であったが、コネクター基板５２の左右中央部に配設した単一のスペーサー９１によって、ＶＧＡコネクター４５を支持する構成であっても良いし、３つ以上のスペーサー９１によって、ＶＧＡコネクター４５を支持する構成であっても良い。
【符号の説明】
【００５１】
４：拡張基板モジュール、  １１：コネクターフレーム、  １３：メイン基板、  １９：基板支持機構、  ２１：パネル板部、  ３１：コネクター用開口、  ３２：貫通孔、  ３３：コネクターフレーム固定ねじ、  ４５：ＶＧＡコネクター、  ５１：コネクター本体、  ５２：コネクター基板、  ５４：接続部、  ５５：フレーム取付部、  ６２：切欠き部、  ９１：スペーサー、  ９２：第１取付けねじ、  ９３：第２取付けねじ、  ９６：着座片部、  ９７：載置片部、  ９８：連結片部、  ９９：係合片部
【図１】
2012004002.tif 000003
【図２】
2012004002.tif 000004
【図３】
2012004002.tif 000005
【図４】
2012004002.tif 000006
【図５】
2012004002.tif 000007
【図６】
2012004002.tif 000008
【図７】
2012004002.tif 000009